Podtech/llm-jp-corpus-v4-ja_patent huggingface dataset:
(57)【要約】【課題】設置作業が容易に行える住宅用分電盤１の取り付け構造を提供することを目的としている。【解決手段】間柱取り付け部７ａと、盤取り付け部７ｂとから構成され、盤取り付け部７ｂとから構成される取り付け部材７を、間柱に固定すると共に、盤取り付け部７ｂには、方眼状に取り付け穴７ｄを設け、住宅用分電盤が盤取り付け部７ｂの任意の位置に取り付け可能とし、住宅用分電盤１の取り付け作業を容易にできるようにしたことを特徴とする。【選択図】図４
2008206249.tif 000002
【特許請求の範囲】
【請求項１】
基台に各種電気機器を載置し、住宅の壁面に取り付けて用いられる住宅用分電盤の取り付け構造であって、間柱取り付け部と、盤取り付け部とから構成され、該盤取り付け部とから構成される取り付け部材を、間柱に固定すると共に、前記盤取り付け部には、方眼状に取り付け穴を設け、前記住宅用分電盤は前記盤取り付け部の任意の位置に取り付け可能であることを特徴とする住宅用分電盤の取り付け構造。
【発明の詳細な説明】
【技術分野】
【０００１】
本発明は、基台に各種電気機器を載置し、住宅の壁面に取り付けて用いられる住宅用分電盤の取り付け構造に関するものである。
【背景技術】
【０００２】
図５に従来の住宅用分電盤の取り付け構造を示す。壁面３１の表面の石膏ボードは省略してある。住宅の壁面３１には内部に間柱３２がたっていて、従来、住宅用分電盤３３を壁面３１に取り付ける際には、間柱３２にあて木３４を固定し、壁面３１裏面から補強を行い、そのあて木３４に住宅用分電盤３３を固定していた。住宅用分電盤３３は基台３３ａ背面に開口３３ｂが設けられていて、壁面３１内部から入線するのに用いていた。
【非特許文献１】２００５カワムラ総合カタログ電設資材編平成１７年５月１日発行
【発明の開示】
【発明が解決しようとする課題】
【０００３】
住宅用分電盤を壁面に取り付けるときに、あて木を固定するが、その作業手間がかかっていた。また、あて木を固定する位置は、住宅用分電盤の基台背面に設けられた開口を避けないと、入線ができないため、位置決め作業も手間がかかっていた。
【課題を解決するための手段】
【０００４】
そこで本発明は、設置作業が容易に行える住宅用分電盤の取り付け構造を提供することを目的とし、その構造は、間柱取り付け部と、盤取り付け部とから構成され、盤取り付け部とから構成される取り付け部材を、間柱に固定すると共に、盤取り付け部には、方眼状に取り付け穴を設け、住宅用分電盤は盤取り付け部の任意の位置に取り付け可能であることを特徴とする。
【発明の効果】
【０００５】
本発明に係る住宅用分電盤の取り付け構造は、間柱取り付け部と、盤取り付け部とから構成され、盤取り付け部とから構成される取り付け部材を、間柱に固定すると共に、盤取り付け部には、方眼状に取り付け穴を設け、住宅用分電盤は盤取り付け部の任意の位置に取り付け可能である
【発明を実施するための最良の形態】
【０００６】
本発明に係る住宅用分電盤の取り付け構造を図１〜図４の添付図面に基づいて説明する。
【０００７】
住宅用分電盤１は、基台２に主幹ブレーカや分岐ブレーカ等の電気機器（図示せず）を載置し、前面はカバー３で被覆して充電部を保護して構成されている。基台２の背面には配線口（図示せず）が設けられていて、住宅の壁面内部を通る電線等を配線口から基台２へと入線する。
【０００８】
住宅の壁面４は、内部には柱や間柱５、梁があって、電気線やガス線等が配線され、表面は一般的に石膏ボード４ａが張られている。石膏ボード４ａに開口６を施し、開口６から配線可能に、住宅用分電盤１は壁面に取り付けられる。
【０００９】
住宅用分電盤１の設置には、石膏ボード４ａにねじ止め等により固定するだけでなく、石膏ボード４ａの裏面に取り付け部材７を設け、取り付け部材７と石膏ボード４ａと共に住宅用分電盤１を固定する。取り付け部材７は、断面略コ字状に、間柱取り付け部７ａと盤取り付け部７ｂとを形成する。取り付け部材７は、壁面４に石膏ボード４ａが張られる前に、間柱取り付け部７ａを間柱５の側面に固定し、その表面に石膏ボード４ａを張り付ける。間柱５の間隔は一定なので、盤取り付け部７ｂの長さを間柱の間隔の寸法に対向させて形成する。また、間柱取り付け部７ａは間柱５の厚み寸法に対向させて形成する。
【００１０】
取り付け部材７の間柱取り付け部７ａには、固定穴７ｃを設ける。寸法は、間柱５に対向させ、最大でも間柱５から出ない大きさとする。取り付け位置の確認をするには、間柱５の奥行き幅と同寸法が望ましい。間柱取り付け部７ａに設けられた固定穴７ｃにねじ８を挿通し締め付け、間柱５に取り付け部材７を固定する。
【００１１】
取り付け部材７の盤取り付け部７ｂは、ます目に仕切られており、ます目のなかにそれぞれ取り付け穴７ｄを設けている。取り付け穴７ｄが盤取り付け部７ｂに方眼状に設けられ、盤取り付け部７ｂに住宅用分電盤１を取り付けるとき、任意の位置での固定が可能である。また、ます目に仕切られていることで、取り付け部材７の盤取り付け部７ｂは、ます目に沿って容易にカットも可能である。住宅の壁面４内側より、住宅用分電盤１へ入線するために設けられている基台２の配線口に取り付け部材７がかぶってしまうような場合も、不要な部分をカットすることができる。
【００１２】
壁面４裏面から取り付け部材７を取り付け、壁面４表面から住宅用分電盤１の基台２を壁面４と取り付け部材７と共にねじ止め固定する。基台２に設けられている配線口を取り付け部材７が閉塞し入線ができないときには、配線口に合わせて取り付け部材７をカットする。
【００１３】
従来は、間柱にあて木を取り付けており、基台２の配線口の位置も考慮に入れてあて木の取り付け位置を決定しなくてはならないので大変な手間がかかっていたが、本発明では、取り付け部材７を間柱５に取り付けた後でも容易に不要な部分をカットできるので作業を容易にすすめることができる。
【産業上の利用可能性】
【００１４】
本発明における住宅用分電盤の取り付け部材は、任意の位置で住宅用分電盤を固定することができるため、設置前の位置決めの精度は高くなくてよく、おおまかな位置を決めれば設置が可能であるため、設置作業が簡単になる。
【図面の簡単な説明】
【００１５】
【図１】住宅用分電盤の取り付け状態を示した説明図である。
【図２】本発明に係る住宅用分電盤の取り付け方法を示す説明図である。
【図３】図２を裏面側から見た説明図である。
【図４】本発明に係る住宅用分電盤の取り付け部材を示す説明図である。
【図５】従来の住宅用分電盤の取り付け構造を示した説明図である。
【符号の説明】
【００１６】
１    住宅用分電盤
２    基台
３    カバー
４    壁面
４ａ  石膏ボード
５    間柱
６    開口
７    取り付け部材
７ａ  間柱取り付け部
７ｂ  盤取り付け部
７ｃ  固定穴
７ｄ  取り付け穴
８    ねじ
【図１】
2008206249.tif 000003
【図２】
2008206249.tif 000004
【図３】
2008206249.tif 000005
【図４】
2008206249.tif 000006
【図５】
2008206249.tif 000007
(57)【要約】      （修正有）【課題】軸受の軌道輪の破損を防止することができる油圧式無段変速機用スラスト軸受を提供する。【解決手段】スラスト玉軸受は、第１の軌道面１１を有する第１の軌道輪１２と、第２の軌道面１３を有する第２の軌道輪１４と、第１の軌道面１１及び第２の軌道面１３間に転動自在に配置された複数の玉１５と、複数の玉１５を円周方向に亘って等間隔に保持する保持器１６とを備える。第１の軌道輪１２と第２の軌道輪１４は、同一部品によって構成される。【選択図】図２
2008215566.tif 000002
【特許請求の範囲】
【請求項１】
第１の軌道面を有する第１の軌道輪と、第２の軌道面を有する第２の軌道輪と、前記第１の軌道面及び前記第２の軌道面間に転動自在に配置された複数の転動体と、前記複数の転動体を円周方向に亘って等間隔に保持する保持器とを備え、油圧式無断変速機に組み込まれる油圧式無断変速機用スラスト軸受において、
前記第１の軌道輪と前記第２の軌道輪とは同一部品によって構成されることを特徴とする油圧式無断変速機用スラスト軸受。
【請求項２】
前記転動体は、玉ところのいずれか一方であることを特徴とする請求項１に記載の油圧式無断変速機用スラスト軸受。
【発明の詳細な説明】
【技術分野】
【０００１】
本発明は、油圧無断変速機（ＨＳＴ：ｈｙｄｒｏ  ｓｔａｔｉｃ  ｔｒａｎｓｍｉｓｓｉｏｎ）用スラスト軸受に関する。
【背景技術】
【０００２】
油圧無断変速機に使用されるスラスト軸受としては、保持器の形状を改良した種々のものが考案されている（例えば、特許文献１〜３参照。）。一般に、スラスト軸受の外輪と内輪は、少なくとも内径寸法において異なっている。
【特許文献１】特開２００４−３５３７７５号公報
【特許文献２】特開２００５−６９３２２号公報
【特許文献３】特開２００５−１２７３４２号公報
【発明の開示】
【発明が解決しようとする課題】
【０００３】
ところで、油圧式無段変速機に組み込まれるスラスト軸受は高荷重条件下で使用されるため、耐荷重性の弱い方の軌道輪が破損するという問題がある。
【０００４】
本発明は、上記事情に鑑みてなされたもので、その目的は、軸受の軌道輪の破損を防止することができる油圧式無断変速機用スラスト軸受を提供することにある。
【課題を解決するための手段】
【０００５】
本発明の目的は、下記構成により達成される。
（１）  第１の軌道面を有する第１の軌道輪と、第２の軌道面を有する第２の軌道輪と、前記第１の軌道面及び前記第２の軌道面間に転動自在に配置された複数の転動体と、前記複数の転動体を円周方向に亘って等間隔に保持する保持器とを備え、油圧式無断変速機に組み込まれる油圧式無断変速機用スラスト軸受において、
前記第１の軌道輪と前記第２の軌道輪とは同一部品によって構成されることを特徴とする油圧式無断変速機用スラスト軸受。
（２）  前記転動体は、玉ところのいずれか一方であることを特徴とする（１）に記載の油圧式無断変速機用スラスト軸受。
【発明の効果】
【０００６】
本発明の油圧式無断変速機用スラスト軸受によれば、第１の軌道輪と第２の軌道輪とは同一部品によって構成されるので、荷重を受ける側の軌道輪と荷重を逃がす側の軌道輪の応力分布が同じとなり、結果的に剛性を向上することができ、軌道輪の破損を防止することができる。
【発明を実施するための最良の形態】
【０００７】
以下、図面を参照して、本発明の一実施形態に係る油圧式無断変速機用スラスト軸受について詳細に説明する。
【０００８】
図１に示されるように、油圧式無段変速機構３０は、図示しないエンジンから入力軸３１に伝達された回転駆動力を油圧力に変換する可変容量ポンプ３２と、油圧力を回転駆動力に戻して出力軸４０に伝達する可変容量モータ４１とを備えており、入力軸３１に伝達された回転駆動力を前進側、後進側の駆動力に無段階に変更して出力軸４０から出力したり、この出力を停止したりする。
【０００９】
可変容量ポンプ３２は、入力軸３１と一体回動するシリンダブロック３３と、シリンダブロック３３の周方向複数箇所に配置され、ピストン室３４内を往復動するノーズピストン３５と、ガイドブロック３６のガイド面に沿って回動する斜板３７とを備えている。可変容量ポンプ３２は、斜板３７が回動操作することで、ノーズピストン３５の往復動ストロークを変化し、ピストン室３４が吐出する油量を変化している。斜板３７には、スラスト軸受１０がノーズピストン３５の先端部と接触する位置に配置されており、スラスト軸受１０は斜板３７と共に回動する。
【００１０】
具体的に、図２に示すように、スラスト軸受１０は、軸受外側の端面２１においてノーズピストン３５の先端部と接触し、第１の軌道面１１を有する第１の軌道輪１２と、斜板３７に固定され、第２の軌道面１３を有する第２の軌道輪１４と、第１の軌道面１１と第２の軌道面１３との間に転動自在に配置された複数の転動体である玉１５とを備える。さらに、スラスト玉軸受１０は、複数の玉１５を円周方向に亘って等間隔に保持する保持器１６を備える。
【００１１】
このため、スラスト軸受１０はノーズピストン３５から受ける高荷重を第１の軌道輪１２で受け、玉１３を介して、斜板３７に固定された第２の軌道輪１４側へ逃がしている。
【００１２】
ここで、第１の軌道輪１２と第２の軌道輪１４とは、同一材料、同一形状、同一寸法からなる同一部品によって構成されており、荷重が負荷される際の両軌道輪１２，１４の応力分布が等しくなる。このため、スラスト軸受１０の剛性を高めることができ、各軌道輪１２，１４の破損を防止することができる。
【００１３】
なお、本発明は、以上に説明した各実施の形態に限定されるものではなく、適宜な変形、改良等が可能である。
本実施形態では、転動体を玉としてスラスト玉軸受が例示されているが、転動体をころとしたスラストころ軸受であってもよい。
【図面の簡単な説明】
【００１４】
【図１】本発明に係るスラスト玉軸受が組み込まれた油圧式無段変速機の例を示す断面図である。
【図２】本発明のスラスト軸受を示す断面図である。
【符号の説明】
【００１５】
１０  スラスト玉軸受
１２  第１の軌道輪
１４  第２の軌道輪
１５  玉（転動体）
１６  保持器
３０  油圧式無段変速機
【図１】
2008215566.tif 000003
【図２】
2008215566.tif 000004
(57)【要約】      （修正有）【課題】金網の内側、円筒内部も掃除が簡単にできて、手間もかからず外壁を傷つけることもないフード付き金網スライド式ガラリの提供。【解決手段】フードの内側に金網と風向板をくっつけて一体化した金網風向板を作り、それが上下にスライドし取り外し機能がついたガラリである。  金網と風向板をくっつけて一体化した金網風向板を作り、それに蝶つがいを取り付けて開閉機能がついたガラリである。【選択図】図１
2008215796.tif 000002
【特許請求の範囲】
【請求項１】
（イ）円筒部分とフード部分の間にガイド板を挟み一体化する。
（ロ）金網と風向板をくっつけて一体化して金網風向板を作る。その下部に止めネジを付ける。
（ハ）金網風向板をガイド部に差し込み、それが上下にスライドして取り外すことが出来る。
以上の如く構成されたフード付き金網スライド式ガラリである。
【請求項２】
（イ）金網と風向板をくっつけて一体化した金網風向板を作る。
（ロ）円筒部分と金網風向板の取り付け板をくっつけて一体化して、その取り付け板の下部に蝶つがいを付ける。
（ハ）金網風向板の上部に止めネジを付け、下部に取り付け板の蝶つがいをつけて金網風向板が開閉できるようにした。
以上の如く構成されたフード無し金網開閉式ガラリである。
【発明の詳細な説明】
【請求項１】
フード付き金網スライド式ガラリ
【請求項２】
フード無し金網開閉式ガラリ
【技術分野】
【０００１】〔請求項１〕
この発明は金網と風向板を一体化して、それが上下にスライドし取り外し機能のついたガラリに関するものである。
〔請求項２〕
この発明は金網と風向板を一体化して、それに蝶つがいをつけて開閉できる機能のついたガラリに関するものである。
【背景技術】
【０００２】  従来のガラリは換気扇による排気で金網にゴミやホコリ等が付着しても、金網の外側は掃除できても内側は掃除できなかった。
【発明の開示】
【発明が解決しようとする課題】
【０００３】  これは次のような欠点があった。
〔請求項１〕
（イ）従来、フード部分と金網、風向板、円筒部分をくっつけて一体化となっていた。
（ロ）換気扇による排気で金網にゴミやホコリ等がつき、目詰まりして排気効率が悪くなっていた。金網の外側は掃除できても内側は掃除できなかった。
（ハ）仮りに内側を掃除した場、ガラリを外壁にネジ止めして周りをコーキングしているので取り外せなかった。取り外した場合は外壁を傷つけたのである。再度取り付けた場合でも傷跡が残り、外壁によっては同じ場所に取り付けるのは困難な時もあった。
〔請求項２〕
（イ）円筒部分と金網、風向板をくっつけて一体化となっていた。
（ロ）換気扇による排気で金網にゴミやホコリがついて排気効率が悪く、金網の外側は掃除できても内側は掃除できなかった。
（ハ）仮に内側を掃除した場合、ガラリを取りつけ部材にネジ止めして、周りをコーキングしてあるので取り外した場合、取り付け部材に傷跡を残し、同じ場所に取り付けられない場合もあった。
本発明は以上のような欠点をなくすためになされたものである。
【課題を解決するための手段】
【０００４】〔請求項１〕
フードの内側に金網と風向板を一体化した金網風向板を作り、それが上下にスライドして取り外し機能をつけた。
以上の如く構成されたフード付き金網スライド式ガラリである。
〔請求項２〕
金網と風向板を一体化して金網風向板を作り、それに蝶つがいをつけて開閉できる機能をつけた。
以上の如くに構成された金網開閉式ガラリである。
【発明の効果】
【０００５】〔請求項１〕
金網風向板が上下にスライドして取り外しができるため金網の内側、円筒内部も掃除が簡単にできる。ガラリを外壁から取り外さなくてもよいので手間もかからず外壁を傷つけることもないのである。
〔請求項２〕
金網風向板の蝶つがいによって開閉できるので、金網の内側、円筒内部も掃除が簡単にできる。ガラリを取り付け部材から取り外さないので手間もかからず部材も傷つけないのである。
【発明を実施するための最良の形態】
【０００６】  以下、本案の実施の形態について説明する。
〔請求項１〕
（イ）円筒部分（１）とフード部分（２）との間にガイド板（３）を挟みくっつけて一体化する。
（ロ）ガイド板のガイド部（４）をガイド板の上部と両側に設ける。ガイド板の下部にネジ止め用の穴（５）を空ける。
（ハ）金網（６）と風向板（７）をくっつけて一体化して金網風向板（８）を作り、その下部に止めネジ（９）を付ける。
（ニ）金網風向板をガイド板のガイド部に沿って下から上に止まるまで差し込み、下部の止めネジでガイド板の下部のネジ止め用の穴に固定する。
（ホ）フードの形状（丸型、Ｕ型、多角的形状）に関係なくこの機能は適用できる。
（ヘ）Ｕ型フードの場合はガイド板の下部にネジ止め用の穴を設け、丸型フードの場合はフードの下部にネジ止め用の穴を設けると使い勝手がよい。
（ト）材質は金属、プラスティック等がよく、金属の方が丈夫である。中でもステンレスは錆にくく、堅牢で特に適している。
〔請求項２〕
（イ）金網と風向板をくっつけて一体化して、金網風向板を作る。その金網風向板の上部に止めネジ（１１）を付けて下部に蝶つがい（１２）を取り付ける。
（ロ）円筒部分と金網風向板の取り付け板（１３）をくっつけて一体化する。そしてその取り付け板の上部にネジ止め用の穴（１４）を空けて下部に金網風向板の蝶つがいを取り付ける。そして金網風向板を閉じて止めネジで固定する。
（ハ）この機能は円型、半円型、多角的形状に適用できる
（ニ）ガラリの大きさによっては止めネジを数箇所程度増すと金網風向板がより安定する。
（ホ）材質は金属、プラスティック等がよく、金属の方が丈夫である。中でもステンレスは錆にくく、堅牢で特に適している。
【図面の簡単な説明】
【０００７】
【図１】〔請求項１〕本発明の斜視図である。（丸型フードの場合）
【図２】〔請求項１〕本発明のフード内の正面図である。（丸型フードの場合）
【図３】〔請求項１〕本発明のフード内の実施例の正面図である。（丸型フードの場合）
【図４】〔請求項２〕本発明の斜視図である。（円型の場合）
【図５】〔請求項２〕本発明の実施例の正面図である。（円型の場合）
【符号の説明】
【０００８】１  円筒部分    ２  フード部分    ３  ガイド板    ４  ガイド部    ５  ネジ止め用の穴    ６  金網    ７  風向板    ８  金網風向板    ９  止めネジ    １０  金網風向板    １１  止めネジ    １２  蝶つがい    １３  金網風向板の取り付け板    １４  ネジ止用の穴    １５  円筒内部
【図１】
2008215796.tif 000003
【図２】
2008215796.tif 000004
【図３】
2008215796.tif 000005
【図４】
2008215796.tif 000006
【図５】
2008215796.tif 000007
(57)【要約】      （修正有）【課題】１台の設備で簡単に銅とプラスチックを有用な形で回収することが可能な一括処理式高周波誘導溶融設備の提供。【解決手段】銅やプラスチックが混在した電線廃棄物をそのまま誘導溶融炉へ投入し、まずプラスチックが油化する温度でプラスチックを油化流出させ、その後、銅の融点に温度設定し、銅を溶融させ成形して回収する。【選択図】図４
2008215794.tif 000002
【特許請求の範囲】
【請求項１】
銅とゴム、アルミニウムとフィルム、銅とプラスチック等の金属とプラスチック等の物質が一緒に成型されている物を１台の装置で、それぞれの融点に合わせた温度にて、別々に回収することを特徴とした一括処理式高周波誘導溶融設備．
【請求項２】
請求項１において処理物を酸化させずに処理する場合は装置を密封構造とし、装置内に窒素ガス、アルゴンガス、過熱蒸気等を封入し装置内圧力を最低１０パスカル以上の圧力に保ち、空気の侵入を防止し処理物を酸化させずに処理出来る事を特徴とする一括処理式高周波誘導溶融設備．
【請求項３】
請求項１および請求項２においてルツボの材質を黒鉛、黒鉛＋Ｍｇ又は炭化珪素等の導電材質を使用し、ルツボに発熱させることで炉内の伝熱面積を大きくし伝熱効率を高くした事を特長とする一括処理式高周波誘導溶融設備．
【請求項４】
請求項１および請求項２においてルツボの材質をアルミナ又はアルミナ（ムライト）＋シリカを使用し、ルツボには発熱させない事を特徴とする一括処理式高周波誘導溶融設備．
【請求項５】
請求項１，請求項２および請求項３において使用する高周波の領域を１〜５０ｋＨｚの範囲とする事を特徴とする一括処理式高周波誘導溶融設備．
【請求項６】
請求項１〜請求項４において、初期設定温度をゴム、フィルム、プラスチック等が、それぞれ油化する最低温度とし、極力乾留ガスを出さないようにし、乾留ガスが出る場合、この乾留ガスをダクトにて水封装置に導き、水封後脱臭炉にて無煙無臭化させることを特徴とする一括処理式高周波誘導溶融設備．
【請求項７】
請求項５において、金属以外の処理物が繊維等の油化しない、又は油化しづらい物の場合、これらが５００℃以上の温度に急速加熱することで、油化されずに炭化されることを利用し、１分間に１００℃以上の昇温速度で急速加熱させ、処理物を炭化物と金属として回収する事を特徴とする一括処理式高周波誘導溶融設備．
【発明の詳細な説明】
【技術分野】
【０００１】本発明は電気部材等によくある銅、アルミニューム、鉄等の金属とゴム、フィルム、プラスチック等とが一体になった物を、たとえば電線、モールド変成器、モールドコイル等を銅とゴム又は銅とプラスチック等に分けることなく一括に処理を行う技術に関するものです．
【背景技術】
【０００２】電線の俗に言う皮剥ぎやモールド変成器にいたってはハンマーでプラスチック部分を叩き割ってプラスチックと銅やアルミニュームを分けていました、この作業が大変な為、日本では作業せずに東南アジアや中国等に安く売っているのが現状です．【０００３】しかも，日本では黄銅鉱やボーキサイト等の原料を海外から輸入し高いコストをかけて、銅ヤアルミニュームを生産している、日本国内でもこれらの廃棄物を原料として安いコストで再生させる技術への期待が高まっている．
【発明の開示】
【発明が解決しようとする課題】本発明は銅とプラスチック、アルミニュームとプラスチック等の金属とプラスチックやゴム等が一緒に成型されている複雑な形状の廃棄物や電線の皮剥ぎ等の面倒な作業を伴う廃棄物を簡単な方法でしかも低コストで処理する事を課題とする．
【発明の効果】
【０００５】  請求項１に記載した設備は１台の装置にたとえば銅とプラスチックが一緒に成型されたものを分離せずにそのまま投入しまずプラスチックが油化する温度に初期設定し、油化したプラスチックを抽出口より油化槽に流れ出させて、プラスチックが流れ出た後、銅の融点に再度設備温度を設定し銅を溶融させ銅の成型器に流し込み銅のインゴットをつくる、このように１台の設備で簡単に銅とプラスチックを有用な形で回収することが可能な一括処理式高周波誘導溶融設備．【０００６】  請求項２に記載した設備は銅やアルミニュームは溶融させるときにいかに酸化を防ぐかが商品価値に大きく影響します又、プラスチックも油化したものを燃焼させずに回収することが重要な課題です、これらの課題を解決可能にした一括処理式高周波誘導溶融設備．【０００７】  請求項３に記載した設備は黒鉛ルツボなどによりわざとルツボにも発熱させ伝熱面積を多くし処理時間を短くさせることを特徴とする一括処理式高周波誘導溶融設備．【０００８】  請求項４に記載した設備は請求項３とは逆にルツボの材質をアルミナ又はアルミナ＋シリカを原料としたルツボで熱効率よりも金属と黒鉛の反応や過加熱によるルツボの寿命を考慮して発熱しないルツボを特徴とした一括処理式高周波誘導溶融設備．【０００９】  請求項５に記載した設備は使用する周波数の範囲を効率の良い１〜５０ｋＨｚと指定した事を特徴とした一括処理式高周波誘導溶融設備．
【発明を実施する為の最良の形態】
【００１０】請求項１に記載した設備は誘導溶融炉および外部制御装置から成る．誘導溶融炉外壁内に高温用セラミックスを施工し断熱を行い，ルツボの周りには水冷式加熱用コイル，対象物容器となるルツボ，温度計を設置する．
【００１１】請求項２に記載した設備は上記設備の誘導溶融炉上部に排ガスダクトを設け，排ガスダクトに水封装置を取り付けることで排ガス内の水分を除去し適正な炉内圧力を保持します．
【００１２】請求項４に記載した設備は上記設備の，ルツボの材質をアルミナ又はアルミナ＋シリカとすることでルツボの長寿命化を可能とする．
【００１３】請求項５に記載した設備は上記設備を色々な処理物を処理可能にする為、周波数設定可能な発生機としたが周波数の範囲を効率の良い１〜５０ｋＨｚとする．
【図面の簡単な説明】
【図１】請求項１に記載した設備の正面図である．
【図２】請求項２および請求項３に記載した設備の正面図である．
【図３】請求項４に記載した設備の正面図である．
【図４】請求項５に記載した設備の正面図である．
【符号の説明】
【００１５】１．気炉外壁
２．耐火キャスタブル
３．電気炉蓋
４．温度計
５．外部制御盤
６．ルツボ
７．電気抵抗式ヒータ
８．排ガスダクト
９．水封装置
１０．雰囲気ガス給気口
１１．小型脱臭炉
【図１】
2008215794.tif 000003
【図２】
2008215794.tif 000004
【図３】
2008215794.tif 000005
【図４】
2008215794.tif 000006
(57)【要約】【課題】ドレン水での細菌やスライムの発生を防止する空気調和機を提供する。【解決手段】空気調和機は、ドレン板（５）に貯まるドレン水がドレンポンプ（６）により加圧されて排水される空気調和機（１）において、上記ドレン板は、上面（８）の最も低い位置に配設された上向きの集合口（１１）と、上面の他の位置に配設された上向きの接続口（１２）と、上記集合口と上記接続口とを連通する連通流路（１３）とを有する底板（７）を備え、上記上面の他の位置に配設された接続口に上記ドレンポンプの吸込口（１６）を接続する。【選択図】図１
2008215750.tif 000002
【特許請求の範囲】
【請求項１】
ドレン板に貯まるドレン水がドレンポンプにより加圧されて排水される空気調和機において、
上記ドレン板は、上面の最も低い位置に配設された上向きの集合口と、上面の他の位置に配設された上向きの接続口と、上記集合口と上記接続口とを連通する連通流路とを有する底板を備え、
上記上面の他の位置に配設された接続口に上記ドレンポンプの吸込口を接続することを特徴とする空気調和機。
【発明の詳細な説明】
【技術分野】
【０００１】
この発明は、空気調和機に関するものである。
【背景技術】
【０００２】
天井に設置する空気調和機には、液化された冷媒を蒸発させることにより周囲を冷却する蒸発器で生成するドレン水を外部に排水ためのドレン管の勾配を付けることが難しいために、ドレンポンプを備え、ドレンポンプによりドレン板に溜まったドレン水を加圧して排水している（例えば、特許文献１参照）。
【０００３】
【特許文献１】特開平８−２００７２６号公報
【発明の開示】
【発明が解決しようとする課題】
【０００４】
しかし、ドレン板の底とドレンポンプの吸込口との間には隙間があり、ドレン板に溜まったドレン水のすべてを排水することができずに滞溜し、空気中に浮遊する細菌などが繁殖してスライムが発生し、送風される空気がカビ臭くなるという問題がある。
【０００５】
この発明の目的は、ドレン水での細菌やスライムの発生を防止する空気調和機を提供することである。
【課題を解決するための手段】
【０００６】
この発明に係わる空気調和機は、ドレン板に貯まるドレン水がドレンポンプにより加圧されて排水される空気調和機において、上記ドレン板は、上面の最も低い位置に配設された上向きの集合口と、上面の他の位置に配設された上向きの接続口と、上記集合口と上記接続口とを連通する連通流路とを有する底板を備え、上記上面の他の位置に配設された接続口に上記ドレンポンプの吸込口を接続する。
【発明の効果】
【０００７】
この発明に係わる空気調和機の効果は、上面の最も低い位置に集合口が開口され、集合口とドレンポンプの吸入口が連通流路で連通され、ドレン水すべてがドレンポンプにより吸い上げられて外側に排水されるので、底板の上面には水溜まりがなく、空気中に浮遊する細菌などが繁殖してスライムが発生せず、送風される空気がカビ臭くなることがないことである。
【発明を実施するための最良の形態】
【０００８】
図１は、この発明による空気調和機の側面図であり、ドレン板は断面で図示している。
この発明による空気調和機１は、冷媒ガスを圧縮する図示しない圧縮機、圧縮された冷媒ガスを放熱して液化する図示しない凝縮器および液化された冷媒を蒸発させる蒸発器２が冷媒管路３で接続された冷凍サイクルを有している。
【０００９】
そして、蒸発器２の下方にドレン板５が配設されている。また、ドレン板５に溜まるドレン水を外側に加圧して排水するドレンポンプ６が配設されている。
ドレン板５には、ドレン水を集め、集めたドレン水をドレンポンプ６に導く構造が形成されている。すなわち、水は低きに集まるので最も低い位置に穴を配設し、穴に流れ込む水を管でドレンポンプ６の吸入口１６まで導くことにより、ドレン水の流れる方向を下向きから上向きに変更することができる。
【００１０】
そこで、ドレン板５は、ウレタンで作製される底板７が備えられている。底板７の上面８には傾斜が付けられており、底板７の上面８に滴下したドレン水は上面８に沿って流れ最も低い位置に集まる。
また、底板７には、ドレン水が集まる最も低い位置の上面８に開口する集合口１１、上面８に開口しドレンポンプ６の吸入口１６が接続される接続口１２、および集合口１１と接続口１２とを連通する連通流路１３が設けられている。
集合口１１は、ドレン水が集まるよう上面８の最も低い位置に開口しているので、ドレン水すべてが集合口１１に流れ込む。
【００１１】
ドレンポンプ６の吸入口１６は、接続口１２に接続されているので、連通流路１３により集合口１１に連通する。そこで、ドレンポンプ６が動きだすと、集合口１１に流れ込んでくるドレン水は連通流路１３を通って吸入口１６から吸い上げられ、加圧されてドレン排水管１７を介して外側に排水される。ドレン排水管１７の途中には、チャッキ弁１８が配設されており、ドレンポンプ６が停止したとき、チャッキ弁１８が閉じてドレン排水管１７を逆流することを防げる。
【００１２】
このように滴下するドレン水を受ける底板の上面に傾斜が付けられ、上面の最も低い位置に集合口が開口され、集合口とドレンポンプの吸入口が連通流路で連通されているので、ドレン水すべてがドレンポンプにより吸い上げられて外側に排水される。そのため底板の上面には水溜まりがなくなり、空気中に浮遊する細菌などが繁殖してスライムが発生せず、送風される空気がカビ臭くなることがなくなる。
【００１３】
また、連通流路は集合口だけが大気に開いているので、ドレンポンプの吸引力により連通流路内のドレン水すべてが吸い上げられて排水される。そのため連通流路内にもドレン水が残らないので、空気中に浮遊する細菌などが繁殖してスライムが発生することがない。
【００１４】
また、ドレン板５内に収納された底板７からドレン水が漏れても、ドレン板５によりドレン水が漏れないように保護されているので、空気調和機１としては漏水の危険性を抑えることができる。
なお、この実施の形態においては底板７をドレン板５内に収納した例を説明したが、ドレン板５に底板７を一体化して作製しても同様な効果が得られる。
また、この実施の形態においては底板７の内部に連通流路１３を設ける例を説明したが、底板７の上面８に相当する受け皿に集合口１１と接続口１２を開孔し、パイプからなる連通流路で集合口１１と接続口１２を連通しても同様な効果が得られる。
【図面の簡単な説明】
【００１５】
【図１】この発明に係わる空気調和機の側面図である。
【符号の説明】
【００１６】
１  空気調和機、２  蒸発器、３  冷媒管路、４  底板、５  ドレン板、６  ドレンポンプ、７  底板、８  （底板の）上面、１１  集合口、１２  接続口、１３  連通流路、１６  （ドレンポンプの）吸入口、１７  ドレン排水管、１８  チャッキ弁。
【図１】
2008215750.tif 000003
(57)【要約】      （修正有）【課題】涼しさを求めるときには扇風機、蚊の発生場所では蚊取り器又灯かりが必要なときには懐中電灯、また涼しさを求めるときには固定の角度で涼しさを求めていた。電源がなくても野外、屋内で手軽に涼しさが求められ又、蚊の発生場所でも蚊取り器を使わず、又懐中電灯や匂い袋をつけて、小型扇風機をコンパクトにする。【解決手段】首、腰また必要な場所に簡単につけらけるように、手のひらサイズのコンパクトな形状をした、携帯小型扇風機に薬剤カートリッジ、薬剤シートの収納部位を作り、又懐中電灯と吊り下げ部材と自由に角度調節できる折りたたみ式本体と組み合わせることで解決できる。【選択図】図１
2008215335.tif 000002
【特許請求の範囲】
【請求項１】
片手で握れるようにコンパクトな形状をした小型扇風機である。首、腰、また必要な場所に下げたり、使用目的に合わせて折りたたんだり、広げて角度を変えながら風向きをかえることが出来る手のひらサイズのコンパクトな形状をしたペンダント式の小型扇風機である。
【請求項２】
本発明品は使用目的に合わせて、吊り下げ部材に取り付けた、調節部材で長さの調節ができるものである。又卓上に置いても、角度を変えながら風向きをかえることができるものである。
【請求項３】
小型扇風機の機能で風を起こすことによって、吸い込む風圧又扇風機の羽で発生する風圧で薬剤カートリッジ、または薬剤シール等を収納部位にセットしたものの、薬剤の拡散ができるものである。又癒しの香りを放つものを収納部位にセットし、風の力で、香りを拡散させることができものである。
【請求項４】
小型扇風機の、羽の回転を低速回転、高速回転と変化させることが出来るものである。
【請求項５】
小型扇風機に懐中電灯の機能を組み込んだものである。
【請求項６】
小型扇風機に薬剤カートリッジ、薬剤シール等、また芳香剤収納、セットできる部位があるものである。
【請求項７】
小型扇風機の、羽の回転が危険なため、羽の周りに安全カバーを取り付けたものである。又安全カバーは金網、ピアノ線、針金、プラスチック等などで、作ったものである。又以上のような材質に、美観のために皮膜したものを小型扇風機の羽のカバーとして使用しているものである。
【請求項８】
折りたたんだり、広げたり出来る本体に小型扇風機の機能と懐中電灯の機能と薬剤カートリッジ、薬剤シール、芳香剤等の拡散ができる仕組みの機能をもつ、携帯小型扇風機である。
【発明の詳細な説明】
【技術分野】
【０００１】本発明品は首、腰に下げられ、また卓上にも立てられ、角度もかえられ必要な場所において、涼しみながら野外、屋内において芳香剤の拡散、蚊成虫の駆除、また蚊成虫の忌避もでき、又灯かりを必要とする場合懐中電灯にもなる。
【背景技術】
【０００２】従来は涼しさを求めるときには野外、屋内では電源式扇風機を使い又蚊成虫の駆除、また蚊成虫の忌避は専用の機種を用いり、また癒しの香りを必要とする場合は芳香剤を身につけていた。灯かりを必要とする場合は懐中電灯を持っていた。それぞれのものを数個持たないと目的が達成されなかった。
【発明の開示】
【０００３】これらを改善する為に扇風機、蚊取り器、懐中電灯、芳香剤いれ、があった。
【発明が解決しようとする課題】
【０００４】解決しようとする問題点は、電源がなくても野外、屋内で手軽に涼しさが求められ又、蚊などが発生している場所でも専用の蚊取り器を使わず、又懐中電灯も大きい物をコンパクトにし、癒しの匂い袋も別々に身につけないで済むように、小型扇風機に薬剤カートリッジ、薬剤シート等、芳香剤入れを作りひとつにまとめコンパクトにすることである。
【課題を解決しようとする手段】
【０００５】今までは、それぞれ単品で使用して、事を果たしていたが、電池式等小型扇風機に懐中電灯、薬剤カートリッジか薬剤剤シート、芳香剤入れを作り折りたたみ式の本体に組み合わせることで解決できる。
【発明の効果】
【０００６】〔０００１〕本発明品を使用することにより、手軽に涼しさを求めることが出来る。又灯かりを必要とする場合懐中電灯にもなる。蚊の発生で困るときは薬剤カートリッジか薬剤シートをセットすれば薬剤の拡散ができ、蚊とり器として使用できる、又癒しの香りが必要な場合は芳香剤をセットすれば癒しの香りが楽しめる。
【本発明を実施するための最良の形態】
【０００７】首、腰、必要な場所に手軽にかけられるように吊り下げひもをつけ、薬剤カートリッジまたは薬剤シート、芳香剤、がセットできるよう収納部位を設け、懐中電灯の機能をコンパクトにして、又折りたたみ式本体に組み込むことで解決することができる。
【実施例１】
【０００８】本発明の実施例を図面に基づいて説明する。図１は本発明の正面図である。図２は側面図である。
【図面の簡単な説明】
【０００９】
【図１】図１は正面図である。
【図２】図２は側面図である。
【符号の説明】
【０００１０】１    片手で握れるような形状をした折りたたみ式本体
２    薬剤カートリッジまたは芳香剤、薬剤シール
３    薬剤カートリッジまたは芳香剤、薬剤シール収納部位
４    羽用安全カバー
５    羽
６    モーター
７    扇風機スイッチ
８    懐中電灯スイッチ
９    懐中電灯電球
１０  吊り下げ部材
１１  吊り下げ部材調節部材
１２  電池収納部位
【図１】
2008215335.tif 000003
【図２】
2008215335.tif 000004
(57)【要約】【課題】従来の携帯電話では、使用者が設定した特定の日付と時刻までの日数と時間を表示して通知する機能は備えられていない。本発明は、使用者にとって重要な日付と時刻を使用者自身が入力して設定し、その設定した特定の日付と時刻までの日数と時間を、携帯電話の時計機能と内蔵プロセッサを用いてソフトウェアにより計算し、タイトル付きでカウントダウン表示して、使用者に目的意識を明確に意識させることで学習意欲や労働意欲を向上させることを課題とする。【解決手段】特定の日付と時刻をタイトル付きで入力設定できる機能と、カウントダウン表示の際に音声による通知を行うかどうか設定できる機能、およびその特定の日付と時刻までの日数と時間を携帯電話の時計機能と内蔵プロセッサを用いてソフトウェアにより計算してカウントダウン表示する機能を携帯電話に実装する。【選択図】図１
2008215916.tif 000002
【特許請求の範囲】
【請求項１】
特定の日付と時刻を設定する入力機能と、その特定の日付と時刻までの日数および時間をソフトウェアにより計算して、カウントダウン表示する機能、およびカウントダウン表示の際に音声による通知を行うかどうか設定できる機能を備えた携帯電話
【発明の詳細な説明】
【技術分野】
【０００１】
本発明は、携帯電話に使用者が設定した特定の日付までの日数と時間をカウントダウンして表示する機能を実装することにより、使用者の目的意識を明確にし、意識を向上させることを目的とする。
【背景技術】
【０００２】
従来の携帯電話は、特定の日付と時刻を入力設定して、その特定の日付と時刻までの日数と時間をカウントダウンして表示する機能を備えていない。そこで、本発明は、使用者が設定した特定の日付と時刻までの日数と時間をソフトウェアにより計算して、カウントダウン表示し、さらに音声によって通知する機能を実装することにより、使用者に目的意識を明確に意識させることで学習意欲や労働意欲を向上させることを目的とするものである。
【発明の開示】
【発明が解決しようとする課題】
【０００３】
従来の技術によれば、携帯電話には、使用者が入力設定した特定の日付までの日数と時間をカウントダウン表示して通知する機能は備えられていない。本発明では、使用者にとって重要な日付と時刻を使用者自身が入力して設定し、その設定した特定の日付と時刻までの日数と時間をソフトウェアにより計算して、タイトル付きでカウントダウン表示し、更に設定によって音声で通知することにより、目的意識を明確に意識させることで学習意欲や労働意欲を向上させることを課題とする。
【課題を解決するための手段】
【０００４】
以上の課題を解決するために、携帯電話に、特定の日付と時刻を設定できる入力機能とカウントダウン表示の際に音声による通知を行うかどうか設定できる機能、およびその特定の日付までの日数と時間を計算してカウントダウン表示するソフトウェアを実装する。
【発明の効果】
【０００５】
本発明により、使用者が入力設定した特定の日付と時刻までの日数と時間をタイトル付きで表示することにより、目的意識を明確に意識させることで学習意欲や労働意欲を向上させることができる。
【発明を実施するための最良の形態】
【０００６】
使用者にとって重要な特定の日付と時刻をタイトル付きで入力して設定し、更に音声による通知を行うかどうかも設定できる機能を携帯電話に実装する。
【０００７】
携帯電話の時計機能と内蔵されているプロセッサを用いて、ソフトウェアにより、上記の設定された特定の日付と時刻までの日数と時間を計算する。
【０００８】
携帯電話のメイン画面あるいはサブ画面等の一部に、使用者が設定した特定の日付と時間を表示し、上記で計算された特定の日付と時刻までの日数と時間をカウントダウン表示する。このカウントダウン表示の際に、設定により音声による通知も行えるようにする。この機能を実装することにより、メイン画面あるいはサブ画面等を開いたときに、使用者にとって重要な日付と時刻までの日数と時間がカウントダウン表示され、それにより使用者が目的意識を明確に意識できる。
【０００９】
メイン画面を開くたびにカウントダウン表示されるのをわずらわしく感じる使用者には、カレンダー表示画面等の一部にこのカウントダウン表示を含ませるか、あるいはカウントダウン表示用の画面を新たに作成することもできる。
【００１０】
使用者が設定した特定の日付と時刻までの日数と時間があらかじめ設定された日数と時間になったときに、音あるいは音声により使用者に通知して注意を喚起できるようにあらかじめ設定しておくこともできるようにする。
【実施例１】
【００１１】
図１は、本発明の１実施例であり、携帯電話のメイン画面の一部に、使用者が設定した特定の日付までの日数と時間をタイトル付きで表示している。
【００１２】
携帯電話を開くと、使用者があらかじめ設定した特定の日付と時刻、およびその特定の日付と時刻までの日数と時間がカウントダウン表示される。このとき、音声による通知を行うかどうかあらかじめ設定しておくことも可能である。
【実施例２】
【００１３】
図２は、カレンダー画面の一部に、使用者が設定した特定の日付と時刻までの日数と時間が表示されている。
【００１４】
カレンダー画面を開くと、使用者があらかじめ設定した特定の日付と時刻、およびその特定の日付と時刻までの日数と時間がカウントダウン表示される。このとき、音あるいは音声による通知を行うかどうかあらかじめ設定しておくことも可能である。
【図面の簡単な説明】
【００１５】
【図１】本発明の実施例１を示した説明図である。
【図２】本発明の実施例２を示した説明図である。
【符号の説明】
【００１６】
１  携帯電話のメイン画面
２  携帯電話のカレンダー画面
【図１】
2008215916.tif 000003
【図２】
2008215916.tif 000004
(57)【要約】      （修正有）【課題】従来の仮設用平板は、鉄製であり、重量が重く取り扱いに危険が伴っていた。また、設置後の移動を防ぐために、溶接が必要であった。さらに、継手が容易に外しずらく、吊上げ、吊卸の玉賭け作業の際、継手接続開口部に玉賭けワイヤーを通し吊上げると損傷を与える可能性があった。【解決手段】鉄製ではなく、ゴム製とすることで、重量を軽くすることができ、作業性および安全性が向上する。また、継手の頭部に金具を取り付ける。【選択図】図１
2008215049.tif 000002
【特許請求の範囲】
【請求項１】
ゴム製平板（仮設用）
【請求項２】
ゴム製平板用継手
【発明の詳細な説明】
【技術分野】
【０００１】本発明は安全性、コストダウン、再資源化という建設工事に関する。
【背景技術】
【０００２】従来の仮設用平板は鉄製のもの。（敷鉄板）
【発明の開示】
【発明が解決しようとする課題】
【０００３】従来の敷鉄板だと運搬費にかなりのウエートがかかる。【０００４】積卸、設置、撤去に危険が伴う。【０００５】バタツキを抑えるのに溶接が必要また撤去時にはガスでの切断が必要。【０００６】既設の舗装、コンクリートに傷をつける。【０００７】重量が重い。
【課題を解決するための手段】
【０００８】ゴム製平板（仮設用）【０００９】ゴム製平板用継手
【発明の効果】
【００１０】ゴム製だと重量が軽く運搬コストが下がる。【００１１】ゴム製だと従来より危険が軽減される。【００１２】設置、撤去手間が軽減されコストダウンできる。【００１３】古タイヤ等を利用して製作することができる。（再資源化）
【発明を実施するための最良の形態】
【実施例】足回りがキャタの重機が舗装、コンクリート上を走行する時の養生に使用。
【産業上の利用可能性】
【図面の簡単な説明】
【００１４】
【図１】平面図
【図２】断面図
【図３】継手詳細図
【符号の説明】
【図１】
2008215049.tif 000003
【図２】
2008215049.tif 000004
【図３】
2008215049.tif 000005
(57)【要約】【課題】建物の出入り口の安全性についてその信頼性が完全でないことに懸念を持っている人が少なくない。戸や窓の鍵が巧妙な手口や違法な手口により開けられた後、元の状態に戻されることにより、戸や窓が開けられたことが部屋の持ち主が知らないという可能性がある。【解決手段】戸や窓が開けた回数や時刻などの履歴を残す装置を設けることで、部屋の持ち主や管理主が知らない間に空けられていることを知ることができる【選択図】なし【特許請求の範囲】
【請求項１】
戸や窓の開閉回数または開閉時刻のいずれかまたは双方の開閉履歴を表示する機能を有することを特徴とする鍵または開閉履歴装置。
【請求項２】
請求項１の開閉履歴の内容を符号変換させて表示する機能を有することを特徴とする鍵または開閉履歴装置
【請求項３】
請求項１の開閉履歴の内容が変化したことを表示する機能を有することを特徴とする鍵または開閉履歴装置
【請求項４】
請求項１または２または３の装置を総称して開閉履歴表示装置とし、複数の開閉履歴表示装置の状態をひとつの表示装置にまとめにして表示する機能を有することを特徴とする鍵または開閉履歴装置
【請求項５】
請求項１または請求項２または請求項３の装置を有する戸または窓または建物
【発明の詳細な説明】
【技術分野】
【０００１】防犯装置、安全装置、鍵、戸、窓、建物、開閉センサ
【背景技術】
【０００２】本案は公知の機械式カウンタや電子式記憶装置の組み合せで具現化できる。【０００３】関連特許出願については、相当するものが見あたらない。
【発明が解決しようとしている課題】
【０００４】課題１．どのような高度なドア鍵でも開けることは不可能ではない。このことは鍵の構造的な問題だけには限らない。例えば集合住宅のような場合、管理会社が部屋の鍵を保管している。管理会社が、管理会社が管理する部屋の持ち主の許可を得ずその部屋の鍵を開けることは許されないが、規範を破って開けることは可能性としてはあり得ることである。
【０００５】課題２．一般的に、どのような鍵でも、合い鍵がなくとも開ける方法は存在する。
【０００６】課題３．巧妙な手口で一度開けられた戸や窓を元の状態に戻すことにより、部屋の持ち主が知らない間に誰かが部屋に侵入でいることはあり得ることである。
【０００７】課題４．以上のように、部屋の持ち主が知らないままに部屋に誰かが進入しているという懸念を持っている人は、その可能性を否定できないが故に、少なからず存在する。部屋や建物の持ち主が開閉履歴を正確に知ることは開閉の事実がなくてもその結果を客観的に知ることができないことが不安感につながる。
課題５．建物が事務所などの場合、複数の人が鍵を所有していることもあり、何らかの原因による不法進入の事象の発生確率は高くなる。事務所を管理する側から見れば、出入り口の開閉履歴を確認できることは望ましい。
【課題を解決するための手段】
【０００８】窓や戸の開閉状態の開閉回数や開閉時間などの開閉履歴を残す。
このことで、開閉されたか否かについての確からしさが大幅に上がる。
開閉されたか否の確認の信頼性が大幅に上がることによって、そのことが抑止力となって、部屋の持ち主が知られることなく戸や窓が悪意によって開閉されるような事象を激減させることができる。
【０００９】不法侵入者に対し装置の改ざんを防ぎ信頼性を上げる目的で、開閉履歴の内容を符号変換することで、改ざんの履歴を残さないようにする行為の対策として履歴を保護することにより、未然の不法侵入抑止が期待できる。
開閉履歴の表示文字数が多くなると最後に閉めたときの表示を覚えにくいので、履歴に変化生じた場合にその変化またはその変化に対応した表示をすることで、不法侵入の有無を簡単に確認することができる。
【００１０】請求項１についての説明
戸や窓の開閉を計数する、あるいは日時を記録する装置は、戸や窓が動くことで、その動きを検出し、記憶させることで具現化可能である。検出機能、記憶機能、演算機能、表示機能、いずれも公知の技術である。
【００１１】請求項２についての説明
履歴の状態表示が履歴を一目で理解できる場合、開閉履歴装置の改ざんという行為があったかどうかについて不安が残ることから、符号変換をすることによってもとの状態の再現を難しくする効果がある。簡単な機械式のカウンターのようなものでも、数値表示を０から９まで順番に表示するのではなくランダムに並べるという簡単な手法でも効果を期待できる。電子式であれば、さらに複雑な符号変換を作用させることができる。本案の本質は符号を変換することであって、符号変換そのものの手段は本質ではない。
【００１２】請求項３についての説明
開閉履歴の最後に閉じたときの表示を人が視覚を通じて記憶することが面倒であることから、履歴に変化が生じた結果その変化もしくは変化に対応する表示をすることで、留守の間に発生した不法侵入の有無を簡単に認識できる。本案の本質は開閉履歴の変化を表示することであって表示手段については本質ではない。
【００１３】請求項４についての説明
一般の建物の場合は複数の戸や窓があり、いずれも不法侵入の可能性があることから、開閉履歴装置は複数個必要である。この場合、表示を一カ所に集中させることで、管理が簡単になる。
【００１４】請求項５についての説明
本案の機能の応用先はドアや窓などの住宅用部品や家屋である。
【発明の効果】
【００１５】部屋や建物の不法侵入の有無を確認できることから、不法侵入があったかもしれない、といった不安感をなくす
【発明を実施するための最良の形態】
【００１６】鍵に装着し、鍵の開閉履歴を残す。
ドアや窓に装着し、その開閉履歴を残す
【実施例】
【００１７】鍵、ドア、建物、に装着して開閉の検出をし、履歴表示をする。
【産業上の利用可能性】
【００１８】
【符号の説明】
(57)【要約】【課題】  雨水をただ排水するだけでなく冷暖房とする。【解決手段】  地下に雨水を大量に貯水して  夏は気温より低く、冬は気温より暖かい雨水を建物の内部の床、壁、天井等に埋め込んだ配管、パネル（放熱板）等に循環させて室内の温度を安定させる。【選択図】図１
2008215055.tif 000002
【特許請求の範囲】
【請求項１】
地下に大きめな雨水を貯水するタンクを作り、その雨水の水温を地下で安定させて建物の床、壁、天井等に埋め込んだ配管等（放熱板）に水温が安定した雨水を循環して畜熱、畜冷させて建物の内部の温度を安定させる。
【請求項２】
地下に大量の雨水を貯水するタンクを作り、その中に配管を張り巡らせて，配管の中に不凍液等を入れて雨水タンクの中で循環させて熱交換させた液体等を建物の内部に埋め込んだ配管等（放熱板）に循環して畜熱、畜冷させて建物の内部の温度を安定させる。
【発明の詳細な説明】
【技術分野】
【０００１】  本発明は、地下に雨水を多量に貯水して水温を安定させ建物の内部の床、壁，天井等に循環させて冷暖房するものである。
【背景技術】
【０００２】  特に文献の知識は、ないです。
【発明の開示】
【発明が解決しようとする課題】
【０００３】  今まで雨水は、あまり利用されることなく、排水されていました。
本発明は、このような雨水を地下に大量に貯水して水温を安定させて有効に利用するということを課題とする。
【課題を解決するための手段】
【０００４】  この課題を解決するための請求項１の発明は地下に雨水を大量に貯水することにより、夏は外気温より低く、また冬は外気温より暖かい雨水を建物の内部に循環させて、室内の温度を安定させる。【０００５】  また、請求項２の発明は雨水タンクの中に別の配管を張り巡らせて雨水の安定した温度を熱交換して建物の内部に不凍液等を循環させて室内の温度を安定させる。
【発明の効果】
【０００６】  本発明は、大量の雨水を貯水することにより地下の安定した温度を建物の内部に伝えることで、省エネルギーである程度の安定した温度を供給できる。
また、災害時の雨水の利用も可能です。
【発明を実施するための最良の形態】
【０００７】  図１は、建物の断面図です。  地下に雨水を大量に貯水することで水温を安定させることができます。【０００８】  図２は、建物の床の断面図です。  床のコンクリート，中空押しだし成形板木材の木組床等の中に配管を入れて雨水等循環させて地下の安定した水温を建物の内部に伝えます。
【産業上の利用の可能性】
【０００９】  本発明は、今までただ排水していた雨水を多量に地下に貯水することで安定した温度をできる。また図２の７の畜熱層に廃材コンクリート、廃材瓦等を入れることで多量の廃材を再利用することが出来る。
【図面の簡単な説明】
【００１０】
【図１】  建物の断面図である。
【図２】  建物の床の断面図である。
【符号の説明】
【００１１】  １    雨水タンク
２    循環機
３    壁
４    床仕上げ材
５    コンクリート、中空押し出し成形板等
６    配管
７    畜熱層
【図１】
2008215055.tif 000003
【図２】
2008215055.tif 000004